(57)【要約】【課題】左右方向の厚みが比較的小さいサイドランプに搭載される可動役物の大型化を図ることができる、遊技機を提供する。【解決手段】前扉３の右端部には、可動役物ユニット４が配置されている。可動役物ユニット４は、前扉３の前面から前方に突出している。可動役物ユニット４には、回転役物４２および回転役物４２を駆動する駆動機構が備えられている。駆動機構は、回転役物４２の回転径方向の外側に配置されている。可動役物ユニット４は、カバー５の右カバー部９３によって覆われている。右カバー部９３は、左側および右側から回転役物４２を視認可能に構成されている。【選択図】図１
2014151108.tif 000002
【特許請求の範囲】
【請求項１】
本体と、
該本体の幅方向の一方側の端部に設けられた枢軸を中心に、前記本体の前面側を覆う閉位置と開放する開放位置との間で回動可能に設けられた前扉と、
前記前扉の前記幅方向の他方側の端部に配置され、前記前扉の前面から前方に突出したサイド装飾体とを含み、
前記サイド装飾体は、サイドカバーと、前記サイドカバーの内側に配置され、前記幅方向に延びる回転軸まわりに回転する可動役物と、前記可動役物に対してその回転径方向の外側に配置され、前記可動役物を駆動する駆動機構とを備え、
前記サイドカバーは、前記幅方向の前記一方側および前記他方側から前記可動役物を視認可能に構成されている、遊技機。
【請求項２】
前記可動役物は、その外周部に円環状のリングギヤを備え、
前記駆動機構は、前記リングギヤに伝達する駆動力を発生するモータを含む、請求項１に記載の遊技機。
【請求項３】
前記駆動機構は、
前記リングギヤと噛合する少なくとも３つのピニオンギヤを備え、
この複数のピニオンギヤのうち、１つピニオンギヤを前記モータの駆動力を前記リングギヤに伝達する駆動ギヤ、該駆動ギヤを除く他のピニオンギヤを前記リングギヤに従動する支持ギヤとして構成した、請求項２に記載の遊技機。
【請求項４】
前記リングギヤと各ピニオンギヤとの噛合点を結ぶ直線に囲まれる平面の重心が、前記可動役物の前記回転軸と一致している、請求項３に記載の遊技機。
【請求項５】
前記サイド装飾体は、前記幅方向の前記一方側および前記他方側から前記可動役物を挟持する第１挟持板および第２挟持板をさらに備え、
前記第１挟持板および前記第２挟持板には、それぞれ前記可動役物と前記回転軸方向に対向する開口が形成されており、
前記モータは、前記第１挟持板の前記幅方向の前記一方側の面に配置され、
前記モータの出力軸は、前記第１挟持板を貫通しており、
前記リングギヤ、前記駆動ギヤおよび前記支持ギヤは、前記第１挟持板と前記第２挟持板との間に配置されている、請求項３または４に記載の遊技機。
【請求項６】
前記サイド装飾体は、前記可動役物に対してその回転径方向の外側に配置され、前記可動役物を照明する照明手段をさらに備える、請求項１〜５のいずれか一項に記載の遊技機。
【発明の詳細な説明】
【技術分野】
【０００１】
本発明は、パチンコ機（ぱちんこ遊技機）などの遊技機に関する。
【背景技術】
【０００２】
近年のパチンコ機では、遊技盤（盤面）に、特別図柄表示器、演出画像表示器（液晶表示器）および可動役物が設けられている。始動口に遊技球が入賞すると、大当り抽選が行われるとともに、特別図柄表示器における特別図柄の変動表示が開始され、所定時間の経過後、特別図柄表示器に大当り抽選の結果を表す特別図柄が停止表示される。遊技の雰囲気を盛り上げるため、特別図柄表示器における特別図柄の変動表示中、演出画像表示器に種々の演出画像が表示される。また、演出画像表示器における演出画像の表示に同期して、可動役物が動作する。これにより、遊技者に大当り抽選の結果があたりではないかとドキドキさせることができ、遊技の興趣をさらに高めることができる。
【０００３】
可動役物が遊技盤に設けられたパチンコ機では、そのパチンコ機で遊技している遊技者以外からは可動役物を視認しにくい。そこで、可動役物を遊技盤の右側に設けられたサイドランプに内蔵させることにより、そのパチンコ機の近隣のパチンコ機で遊技している遊技者などからも可動役物を視認できるようにした機種が登場してきている。
【先行技術文献】
【特許文献】
【０００４】
【特許文献１】特開２００８−４３４５７号公報
【発明の概要】
【発明が解決しようとする課題】
【０００５】
しかしながら、比較的大型の演出画像表示器が遊技盤に設けられる都合上、遊技盤の面積をできるだけ大きく確保することが望まれている。そのため、左右方向において、サイドランプに広いスペースを割くことはできず、サイドランプに可動役物を配置するためのスペースを大きくとることはできない。
【０００６】
本発明の目的は、左右方向の厚みが比較的小さいサイドランプなどのサイド装飾体に搭載される可動役物の大型化を図ることができる、遊技機を提供することである。
【課題を解決するための手段】
【０００７】
以下、本発明について説明する。なお、発明の理解を容易にするため、添付図面の参照符号等を括弧書きにて付記するが、それにより本発明が表示の形態に限定されるものではない。
【０００８】
前記の目的を達成するため、本発明に係る遊技機（１）は、本体（２）と、該本体の幅方向の一方側の端部に設けられた枢軸を中心に、前記本体の前面側を覆う閉位置と開放する開放位置との間で回動可能に設けられた前扉（３）と、前記前扉（３）の前記幅方向の他方側の端部に配置され、前記前扉（３）の前面から前方に突出したサイド装飾体とを含み、前記サイド装飾体は、サイドカバー（９３）と、前記サイドカバー（９３）の内側に配置され、前記幅方向に延びる回転軸（５７）まわりに回転する可動役物（４２）と、前記可動役物（４２）に対してその回転径方向の外側に配置され、前記可動役物（４２）を駆動する駆動機構（４３）とを備え、前記サイドカバー（９３）は、前記幅方向の前記一方側および前記他方側から前記可動役物（４２）を視認可能に構成されている。
【０００９】
この構成によれば、前扉（３）は、本体の幅方向の一方側の端部に設けられた枢軸を中心に、本体の前面側を覆う閉位置と開放する開放位置との間で回動可能に設けられている。前扉（３）の幅方向の他方側の端部には、サイド装飾体が配置されている。サイド装飾体は、前扉（３）の前面から前方に突出している。そのため、サイド装飾体を前後方向および上下方向に大型化することができる。サイド装飾体が前扉（３）の枢軸側と反対側に設けられているので、サイド装飾体が前後方向および上下方向に大型化されても、サイド装飾体が前扉（３）の開閉の妨げにならない。
【００１０】
サイド装飾体には、可動役物（４２）および可動役物（４２）を駆動する駆動機構（４３）が備えられている。
【００１１】
可動役物（４２）は、幅方向に延びる回転軸（５７）まわりに回転可能に設けられている。そのため、可動役物（４２）の幅方向の厚さを抑えながら、可動役物（４２）を前後方向および上下方向に大型化することができる。
【００１２】
駆動機構（４３）は、可動役物（４２）に対して可動役物（４２）の回転径方向の外側に配置されている。これにより、可動役物（４２）に対する幅方向の一方側および他方側に駆動機構（４３）を配置するスペースを設ける必要がないので、サイド装飾体の幅方向の厚さの増大を抑制することができる。
【００１３】
可動役物（４２）は、サイドカバー（９３）に覆われている。サイドカバー（９３）は、幅方向の一方側および他方側から可動役物（４２）を視認可能に構成されている。可動役物（４２）をサイドランプカバー（９３）の幅方向の一方側および他方側から視認することができるので、筐体（２）の正面側に位置する遊技者だけでなく、その遊技者の周囲の人も可動役物（４２）を視認することができる。
【００１４】
よって、左右方向の厚みが比較的小さいサイド装飾体に搭載される可動役物（４２）の大型化を図ることができる。
【００１５】
可動役物（４２）は、回転軸線を中心とする円環状のリングギヤ（５５）を含み、駆動機構（４３）は、リングギヤ（５５）に入力される駆動力を発生するモータ（６１）を含んでいてもよい。
【００１６】
この構成によれば、モータ（６１）の駆動力がリングギヤ（５５）に入力されることにより、可動役物（４２）を回転させることができる。可動役物（４２）の回転軸線上にモータ（６１）を配置する必要がないので、サイド装飾体の幅方向の厚さを小さくすることができる。
【００１７】
駆動機構（４３）は、リングギヤ（５５）と噛合する少なくとも３つのピニオンギヤ（６３，６４Ａ，６４Ｂ）を備え、この複数のピニオンギヤ（６３，６４Ａ，６４Ｂ）のうち、１つピニオンギヤをモータ（６１）の駆動力をリングギヤ（５５）に伝達する駆動ギヤ（６３）、該駆動ギヤ（６３）を除く他のピニオンギヤをリングギヤ（５５）に従動する支持ギヤ（６４Ａ，６４Ｂ）として構成してもよい。
【００１８】
この構成によれば、各ピニオンギヤ（６３，６４Ａ，６４Ｂ）がリングギヤ（５５）と少なくとも３点で噛合することになり、駆動ギア（６３）を含む２個のピニオンギヤをリングギヤ（５５）に噛合させた構成に比べて、可動役物（４２）の駆動時のがたつきを抑制して、可動役物（４２）をスムースに回転させることができる。
【００１９】
なお、がたつきの抑制には、リングギヤ（５５）と各ピニオンギヤ（６３，６４Ａ，６４Ｂ）との噛合点を結ぶ直線に囲まれる平面の重心が、可動役物（４２）の回転軸と一致するのが望ましく、具体的には、各ピニオンギヤ（６３，６４Ａ，６４Ｂ）を周方向に一定角度間隔おきに配置するのが望ましい。
【００２０】
サイド装飾体は、相対的に幅方向の一方側および他方側にそれぞれ配置される第１挟持板（２１）および第２挟持板（２２）をさらに含み、第１挟持板（２１）および第２挟持板（２２）には、それぞれ可動役物（４２）と回転軸方向に対向する開口（３１，３６）が形成されていてもよい。
【００２１】
これにより、第１挟持板（２１）に形成された開口（３１）を介して、可動役物（４２）を回転軸線方向の一方側から視認することができる。また、第２挟持板（２２）に形成された開口（３６）を介して、可動役物（４２）を回転軸線方向の他方側から視認することができる。
【００２２】
モータ（６１）が第１挟持板（２１）の幅方向の一方側の面に配置され、モータ（６１）の出力軸（６５）が第１挟持板（２１）を貫通し、リングギヤ（５５）、駆動ギヤ（６３）および支持ギヤ（６４Ａ，６４Ｂ）が第１挟持板（２１）と第２挟持板（２２）との間に配置されていてもよい。
【００２３】
この構成によれば、第１挟持板（２１）および第２挟持板（２２）により、リングギヤ（５５）、駆動ギヤ（６３）および支持ギヤ（６４Ａ，６４Ｂ）を隠蔽することができる。その結果、意匠性を高めることができる。
【００２４】
サイド装飾体は、可動役物（４２）に対してその回転径方向の外側に配置され、可動役物（４２）を照明する照明手段（４４，４５）をさらに備えていてもよい。
【００２５】
可動役物（４２）が照明されることにより、可動役物（４２）の回転による演出の効果を高めることができる。
【発明の効果】
【００２６】
本発明によれば、左右方向の厚みが比較的小さいサイドランプに搭載される可動役物の大型化を図ることができる。そして、その可動役物を筐体の正面側に位置する遊技者およびその周囲の人が視認することができるので、複数の人に対して遊技機での遊技の興趣の増大を感じさせることができる。
【図面の簡単な説明】
【００２７】
【図１】本発明の一実施形態に係るパチンコ機の分解斜視図である。
【図２】可動役物ユニットの左前側から見た斜視図である。
【図３】可動役物ユニットの右前側から見た斜視図である。
【図４】第１挟持板および可動役物ユニットの内部構成を示す斜視図である。
【図５】第１挟持板および可動役物ユニットの内部構成を示す側面図である。
【図６】第２挟持板および可動役物ユニットの内部構成を示す側面図である。
【図７】右カバー部の左前側から見た斜視図である。
【図８】右カバー部の右前側から見た斜視図である。
【発明を実施するための形態】
【００２８】
以下では、本発明の実施の形態について、添付図面を参照しつつ詳細に説明する。
【００２９】
図１は、本発明の一実施形態に係るパチンコ機１の分解斜視図である。
【００３０】
パチンコ機１は、本体２、前扉３、可動役物ユニット４およびカバー５を備えている。
【００３１】
前扉３は、本体２の前側に設けられている。前扉３の左端部は、上下方向に延びる枢軸を有するヒンジ６を介して、本体２の左端部に連結されている。これにより、前扉３は、ヒンジ６（枢軸）を支点に、本体２の前面側を覆う閉位置と開放する開放位置との間で回動可能に設けられている。
【００３２】
前扉３の前面の上部には、開口７が形成されている。開口７には、ガラス板などの透明板が嵌められており、この透明板を介して、開口７の奥側を目視できるようになっている。開口７の奥側には、遊技盤８が配置されている。遊技盤８の前面には、図示されていないが、入賞口、大入賞口、特別図柄表示器および演出画像を表示するための液晶表示器などが配設されている。
【００３３】
前扉３の前面の下部には、遊技球を貯留しておくための上皿９および下皿１０、上皿９に貯留されている遊技球を遊技盤８に向けて打ち出すために操作されるハンドル１１などが設けられている。
【００３４】
可動役物ユニット４は、前扉３の前面の右上端部、具体的には、前扉３の前面における開口７の右側の左右方向に幅狭な部分の上端部に配置されている。可動役物ユニット４は、前扉３の前面から前方に突出し、上下方向に延びる板状をなしている。
【００３５】
図２は、可動役物ユニット４の左前側から見た斜視図である。図３は、可動役物ユニット４の右前側から見た斜視図である。
【００３６】
可動役物ユニット４は、第１挟持板２１および第２挟持板２２を備えている。
【００３７】
第１挟持板２１は、略矩形状をなしている。
【００３８】
第１挟持板２１には、円形開口３１およびＬＥＤ開口３２が形成されている。円形開口３１は、第１挟持板２１の下部に形成されている。ＬＥＤ開口３２は、円形開口３１の前上側に形成されている。
【００３９】
円形開口３１の後上側であって、ＬＥＤ開口３２の後側には、モータ支持台３３が形成されている。モータ支持台３３は、第１挟持板２１から左方に突出する扁平な略円柱状をなしている。モータ支持台３３の上端部および下端部には、それぞれモータ支持台３３の径方向の外側に向けて膨出する膨出部３４が形成されている。
【００４０】
また、第１挟持板２１には、その前端縁、後端縁および上端縁から右方に突出する壁部３５が形成されている。
【００４１】
第２挟持板２２は、第１挟持板２１の右側に、第１挟持板２１と対向して配置されている。第２挟持板２２は、第１挟持板２１よりも上下方向に長い略矩形状をなしている。
【００４２】
第２挟持板２２には、第１挟持板２１の円形開口３１と同径の円形開口３６が形成されている。円形開口３６は、円形開口３１と左右方向に対向している。
【００４３】
また、第２挟持板２２は、その前端縁、後端縁、上端縁および下端縁から左方に突出する壁部３７が形成されている。壁部３７の前端部、後端部および上端部は、第１挟持板２１の壁部３５に突き合わされている。これにより、第１挟持板２１と第２挟持板２２とは、左右方向に、壁部３５の高さ（第１挟持板２１からの突出量）と壁部３７の高さ（第２挟持板２２からの突出量）との和にほぼ等しい間隔を空けて対向し、第１挟持板２１と第２挟持板２２との間には、空間４１が形成されている。
【００４４】
図４は、第１挟持板２１および可動役物ユニット４の内部構成を示す斜視図である。図５は、第１挟持板２１および可動役物ユニット４の内部構成を示す側面図である。図６は、第２挟持板２２および可動役物ユニット４の内部構成を示す側面図である。
【００４５】
可動役物ユニット４は、回転役物４２、駆動機構４３、上ＬＥＤ基板４４および下ＬＥＤ基板４５をさらに備えている。
【００４６】
回転役物４２は、第１挟持板２１の円形開口３１および第２挟持板２２の円形開口３６内に配置されている。回転役物４２は、円環状のリング５１と、リング５１の内側に形成されたプロペラ５２とを備えている。
【００４７】
リング５１は、右透光部材５３、左透光部材５４およびリングギヤ５５を備えている。右透光部材５３および左透光部材５４は、透明の樹脂からなり、同径の円環板状をなしている。リングギヤ５５は、右透光部材５３と左透光部材５４との間に介在されている。リングギヤ５５は、右透光部材５３および左透光部材５４の内径とほぼ同じ内径を有する円環状をなしている。リングギヤ５５の外周部には、多数のギヤ歯５６が形成されている。
【００４８】
プロペラ５２は、樹脂からなる。プロペラ５２は、リング５１の中心上に配置される円筒部５７と、円筒部５７から放射状に延びる５枚のブレード５８とを一体的に有している。各ブレード５８の先端部は、リングギヤ５５に接続されている。プロペラ５２の表面には、たとえば、めっきが施されている。
【００４９】
駆動機構４３には、モータ６１、伝達ギヤ６２、駆動ギヤ６３、第１支持ギヤ６４Ａおよび第２支持ギヤ６４Ｂが含まれる。
【００５０】
モータ６１は、第１挟持板２１のモータ支持台３３上に配置されている。モータ６１は、ねじ（図示せず）により、モータ支持台３３の各膨出部３４に固定されている。モータ６１の出力軸６５は、第１挟持板２１を貫通し、その先端部が第１挟持板２１と第２挟持板２２との間の空間４１に突出している。
【００５１】
伝達ギヤ６２は、第１挟持板２１と第２挟持板２２とに挟まれる空間４１に配置されている。伝達ギヤ６２の外周部には、多数のギヤ歯が形成されている。伝達ギヤ６２のギヤ歯には、モータ６１の出力軸６５の先端部に取り付けられたモータギヤ（図示せず）のギヤ歯が噛合している。
【００５２】
駆動ギヤ６３は、小径ギヤ部６６および大径ギヤ部６７を同一回転軸線上に一体的に有する二段ギヤからなる。駆動ギヤ６３は、第２挟持板２２に突設された回転軸６８に回転可能に支持されている。小径ギヤ部６６および大径ギヤ部６７の外周部には、多数のギヤ歯が形成されている。小径ギヤ部６６のギヤ歯は、伝達ギヤ６２のギヤ歯に後下方から噛合している。大径ギヤ部６７のギヤ歯は、リングギヤ５５のギヤ歯に後上方から噛合している。
【００５３】
第１支持ギヤ６４Ａは、回転役物４２の前上側に配置されている。第１支持ギヤ６４Ａは、第２挟持板２２に突設された回転軸６９に回転可能に支持されている。第１支持ギヤ６４Ａの外周部には、多数のギヤ歯が形成されている。第１支持ギヤ６４Ａのギヤ歯は、リングギヤ５５のギヤ歯と噛合している。
【００５４】
第２支持ギヤ６４Ｂは、回転役物４２の下側やや後寄りの位置に配置されている。第２支持ギヤ６４Ｂは、第２挟持板２２に突設された回転軸７０に回転可能に支持されている。第２支持ギヤ６４Ｂの外周部には、多数のギヤ歯が形成されている。第２支持ギヤ６４Ｂのギヤ歯は、リングギヤ５５のギヤ歯と噛合している。
【００５５】
このように、駆動ギヤ６３の大径ギヤ部６７、第１支持ギヤ６４Ａおよび第２支持ギヤ６４Ｂがリングギヤ５５に噛合している。リングギヤ５５の中心は、駆動ギヤ６３、第１支持ギヤ６４Ａおよび第２支持ギヤ６４Ｂの各回転中心を結んで形成される三角形の内側、より具体的には、その三角形の重心とほぼ一致する位置に配置されている。これにより、リングギヤ５５は、駆動ギヤ６３、第１支持ギヤ６４Ａおよび第２支持ギヤ６４Ｂに回転可能に安定して支持されている。
【００５６】
上ＬＥＤ基板４４は、回転役物４２の前上側に配置されている。上ＬＥＤ基板４４は、第２挟持板２２に形成された２個の基板保持部８１Ａ，８１Ｂにそれぞれ前端部および後端部が保持されて、後上がり（前下がり）に傾斜した状態で、ＬＥＤ開口３２内に配置されている。上ＬＥＤ基板４４の下面には、回転役物４２を照明するためのフルカラーＬＥＤが設けられている。
【００５７】
下ＬＥＤ基板４５は、回転役物４２の下側に配置されている。下ＬＥＤ基板４５は、前後方向に延びており、第２挟持板２２に形成された２個の基板保持部８２Ａ，８２Ｂにそれぞれ前端部および後端部が保持されている。下ＬＥＤ基板４５の上面には、回転役物４２を照明するためのフルカラーＬＥＤが設けられている。
【００５８】
カバー５は、樹脂からなる。カバー５は、図１に示されるように、前扉３の前面における開口７の上側、左側および右側の部分を前側から一括して覆うように設けられている。
【００５９】
具体的には、カバー５は、前扉３の前面における左端縁と開口７との間を前側から覆う左カバー部９１と、前扉３の前面における上端縁と開口７６との間を前側から覆う上カバー部９２と、前扉３の前面における右端縁と開口７との間を前側から覆う右カバー部９３とを備えている。左カバー部９１は、前扉３の開閉を阻害しないように、前後方向に短く形成される。右カバー部９３は、可動役物ユニット４を前側から覆うために、左カバー部９１よりも前方に大きく突出している。
【００６０】
図７は、右カバー部９３の左前側から見た斜視図である。図８は、右カバー部９３の右上部の右前側から見た斜視図である。
【００６１】
右カバー部９３は、光透過性を有する樹脂材料からなり、内側壁部９４および外側壁部９５を一体的に有している。
【００６２】
内側壁部９４は、可動役物ユニット４の第１挟持板２１に左側から対向している。内側壁部９４を介して、回転役物４２を視認することができる。
【００６３】
なお、内側壁部９４と可動役物ユニット４との間に、モータ支持台３３、上ＬＥＤ基板４４、下ＬＥＤ基板４５およびモータ６１を左側から覆い隠し、回転役物４２を露出させる装飾板が介在されてもよい。
【００６４】
外側壁部９５は、可動役物ユニット４の第１挟持板２１に左側から対向している。外側壁部９５を介して、回転役物４２を視認することができる。
【００６５】
たとえば、遊技者によってハンドル１０が操作されて、遊技盤７に向けて打ち出された遊技球が始動口に遊技球が入賞すると、大当り抽選が行われるとともに、特別図柄表示器における特別図柄の変動表示が開始される。この変動表示の開始から所定時間が経過すると、特別図柄表示器に大当り抽選の結果を表す特別図柄が停止表示される。遊技の雰囲気を盛り上げるため、特別図柄表示器における特別図柄の変動表示中、液晶表示器に種々の演出画像が表示される。また、液晶表示器における演出画像の表示に同期して、回転役物４２が回転されるとともに、回転役物４２が照明される。
【００６６】
回転役物４２を回転させるために、モータ６１が駆動される。モータ６１の駆動力は、伝達ギヤ６２および駆動ギヤ６３を介して、リングギヤ５５に伝達される。これにより、回転役物４２が回転する。
【００６７】
また、回転役物４２を照明するために、上ＬＥＤ基板４４および下ＬＥＤ基板４５の各フルカラーＬＥＤの発光が制御される。フルカラーＬＥＤから出射される光は、右透光部材５３および左透光部材５４に照射され、右透光部材５３および左透光部材５４内を伝播する。右透光部材５３には、レンズカット加工が施されている。そのため、右透光部材５３に光が照射されると、左透光部材５４から光が散乱して出射される。また、右透光部材５３および左透光部材５４から出射される光がプロペラ５２に照射される。そして、その光が回転中のプロペラ５２の表面で反射されることにより、プロペラ５２が発光する（照明される）。
【００６８】
大当り抽選の結果があたりであることに対する遊技者の期待度を変化させるために、フルカラーＬＥＤの発光色が異なる複数の演出が用意されてもよい。たとえば、フルカラーＬＥＤが単色に発光することにより、大当り抽選の結果があたりである可能性が相対的に低いことを報知する演出が行われ、フルカラーＬＥＤの発光色が複数色に変化することにより、大当り抽選の結果があたりである可能性が相対的に高いことを報知する演出が行われてもよい。これにより、大当り抽選の結果があたりであることに対する遊技者の期待度を変化させることができ、遊技の興趣を高めることができる。
【００６９】
以上のように、前扉３は、その左端部で上下方向に延びる枢軸を有するヒンジ６によって回動可能に設けられている。前扉３の右端部には、可動役物ユニット４が配置されている。可動役物ユニット４は、前扉３の前面から前方に突出している。そのため、可動役物ユニット４を前後方向および上下方向に大型化することができる。可動役物ユニット４が前扉３の回動軸線と左右方向における反対側に設けられているので、可動役物ユニット４が前後方向および上下方向に大型化されても、可動役物ユニット４が前扉３の開閉の妨げにならない。
【００７０】
可動役物ユニット４には、回転役物４２および回転役物４２を駆動する駆動機構４３が備えられている。
【００７１】
回転役物４２は、左右方向に延びる回転軸線まわりに回転可能に設けられている。そのため、回転役物４２の左右方向の厚さを抑えながら、回転役物４２を前後方向および上下方向に大型化することができる。
【００７２】
駆動機構４３は、回転役物４２の外側に配置されている。これにより、回転役物４２に対する左側および右側に駆動機構４３を配置するスペースを設ける必要がないので、可動役物ユニット４の左右方向の厚さの増大を抑制することができる。
【００７３】
回転役物４２は、右カバー部９３に覆われている。右カバー部９３は、左側および右側から回転役物４２を視認可能としながら、回転役物４２の左右方向の外側に配置されている駆動機構４３を隠蔽している。回転役物４２を右カバー部９３の左側および右側から視認することができるので、前扉３の正面側に位置する遊技者だけでなく、その遊技者の周囲の人も回転役物４２を視認することができる。
【００７４】
よって、左右方向の厚みが比較的小さい可動役物ユニット４および右カバー部９３からなるサイド装飾体に搭載される回転役物４２の大型化を図ることができる。
【００７５】
回転役物４２は、回転役物４２の回転軸線を中心とする円環状のリングギヤ５５を備え、駆動機構４３は、リングギヤ５５に入力される駆動力を発生するモータ６１を含む。
【００７６】
この構成によれば、モータ６１の駆動力がリングギヤ５５に入力されることにより、回転役物４２を回転させることができる。回転役物４２の回転軸線上にモータ６１を配置する必要がないので、可動役物ユニット４の左右方向の厚さを小さくすることができる。
【００７７】
駆動機構４３は、リングギヤ５５と噛合し、モータ６１の駆動力が入力される駆動ギヤ６３と、リングギヤ５５と噛合し、駆動ギヤ６３とともにリングギヤ５５を支持する第１支持ギヤ６４Ａおよび第２支持ギヤ６４Ｂとをさらに含む。
【００７８】
この構成によれば、駆動ギヤ６３、第１支持ギヤ６４Ａおよび第２支持ギヤ６４Ｂがリングギヤ５５と３点で噛合することにより、回転役物４２の回転時のがたつきを抑制して、回転役物４２をスムースに回転させることができる。
【００７９】
可動役物ユニット４は、第１挟持板２１および第１挟持板２１の右側に配置される第２挟持板２２をさらに含み、第１挟持板２１には、回転役物４２と左右方向に対向する円形開口３１が形成されており、第２挟持板２２には、回転役物４２と左右方向に対向する円形開口３６が形成されている。
【００８０】
これにより、第１挟持板２１に形成された円形開口３１を介して、回転役物４２を左側から視認することができる。また、第２挟持板２２に形成された円形開口３６を介して、回転役物４２を右側から視認することができる。
【００８１】
モータ６１が第１挟持板２１の左面に配置され、モータ６１の出力軸６５が第１挟持板２１を貫通し、リングギヤ５５、駆動ギヤ６３、第１支持ギヤ６４Ａおよび第２支持ギヤ６４Ｂが第１挟持板２１と第２挟持板２２との間に配置されている。
【００８２】
この構成によれば、第１挟持板２１および第２挟持板２２により、リングギヤ５５、駆動ギヤ６３、第１支持ギヤ６４Ａおよび第２支持ギヤ６４Ｂを隠蔽することができる。その結果、遊技機の意匠性を高めることができる。
【００８３】
可動役物ユニット４は、回転役物４２に対してその回転径方向の外側に配置され、回転役物４２を照明する上ＬＥＤ基板４４および下ＬＥＤ基板４５をさらに備えている。
【００８４】
回転役物４２が上ＬＥＤ基板４４および下ＬＥＤ基板４５からの光で照明されることにより、回転役物４２の回転による演出の効果を高めることができる。
【００８５】
以上、本発明の一実施形態について説明したが、本発明は、他の形態で実施することもできる。
【００８６】
たとえば、第１挟持板２１および第２挟持板２２の各外側面に、意匠を施すとともに、その意匠に合わせて、複数のＬＥＤを実装してもよい。この場合、右カバー部９３を無色透明の樹脂製とすることにより、第１挟持板２１および第２挟持板２２でリングギヤ５５、駆動ギヤ６３、第１支持ギヤ６４Ａおよび第２支持ギヤ６４Ｂなどの駆動機構を隠蔽しつつ、装飾効果をさらに高めることができる。
【００８７】
また、前述の実施形態では、本発明がパチンコ機１に適用された場合を例に取ったが、本発明は、スロットマシンなど、パチンコ機１以外の遊技機に広く適用することができる。
【００８８】
その他、特許請求の範囲に記載された事項の範囲で種々の設計変更を施すことが可能である。
【符号の説明】
【００８９】
１      パチンコ機
２      本体
３      前扉
２１    第１挟持板
２２    第２挟持板
３１    円形開口
３６    円形開口
４２    回転役物
４３    駆動機構
５５    リングギヤ
５７    円筒部（回転軸）
６１    モータ
６３    駆動ギヤ（ピニオンギヤ）
６４Ａ  第１支持ギヤ（ピニオンギヤ）
６４Ｂ  第２支持ギヤ（ピニオンギヤ）
６５    出力軸
９３    右カバー部（サイドカバー）
【図１】
2014151108.tif 000003
【図２】
2014151108.tif 000004
【図３】
2014151108.tif 000005
【図４】
2014151108.tif 000006
【図５】
2014151108.tif 000007
【図６】
2014151108.tif 000008
【図７】
2014151108.tif 000009
【図８】
2014151108.tif 000010